(57)【要約】【課題】携帯機器を構成する複数の筺体の位置関係が変化しても良好な受信を行うことができる携帯機器を提供すること。【解決手段】本発明の携帯機器は、第１の筺体２０と第２の筺体３０とを有し、第１の筺体２０と第２の筺体３０との位置関係が可変である携帯機器１０であって、テレビジョン信号受信用のアンテナ素子４０ａと、可変容量素子を有しアンテナ素子４０ａとの間の整合を行う整合回路４０ｂと、整合回路４０ｂに接続されたテレビジョン信号受信回路６０と、可変容量素子に与える同調電圧を制御する制御回路６３と、第１の筺体２０と第２の筺体３０との位置関係を検出する検出部７１、７５とを前記第１及び第２の筐体内に具備し、制御回路６３は、検出部７１，７５の検出結果が示す第１の筺体２０と第２の筺体３０との位置関係に応じて同調電圧を制御するものである。【選択図】図１
2009141563.tif 000002
【特許請求の範囲】
【請求項１】
第１の筺体と第２の筺体とを有し、前記第１の筺体と前記第２の筺体との位置関係が可変である携帯機器であって、
テレビジョン信号受信用のアンテナ素子と、
可変容量素子を有し前記アンテナ素子との間の整合を行う整合回路と、
前記整合回路に接続されたテレビジョン信号受信回路と、
前記可変容量素子に与える同調電圧を制御する制御回路と、
前記第１の筺体と前記第２の筺体との位置関係を検出する検出部とを前記第１及び第２の筐体内に具備し、
前記制御回路は、前記検出部の検出結果が示す前記第１の筺体と前記第２の筺体との位置関係に応じて前記同調電圧を制御することを特徴とする携帯機器。
【請求項２】
前記第１又は第２の筐体の少なくともいずれか一方は、前記受信したテレビジョン信号から復調される画像を表示するためのディスプレイを具備することを特徴とする請求項１に記載の携帯機器。
【請求項３】
前記制御回路は、前記第１の筺体と前記第２の筺体との位置関係と前記同調電圧との対応表が記憶された記憶部を具備することを特徴とする請求項１に記載の携帯機器。
【請求項４】
前記検出部は、前記第１又は第２の筺体の少なくともいずれか一方に設けられた磁石と、他方の筺体に設けられた磁気センサとを具備することを特徴とする請求項１に記載の携帯機器。
【発明の詳細な説明】
【技術分野】
【０００１】
本発明は、携帯機器に関し、例えば地上デジタル放送等のテレビジョン放送を受信するようになされた携帯機器に関する。
【背景技術】
【０００２】
従来、携帯電話機においては、テレビジョン放送の受信機能を有するものがある。この種の携帯電話機として、筺体の内部にアンテナを設け、可変同調回路により同調制御を行うものが考えられている（特許文献１参照）。
【０００３】
一方、携帯電話機として、第１及び第２の筺体を有し、一方の筺体に表示画面を設け、他方の筺体に操作キーを設けたものがある（特許文献２参照）。この種の携帯電話機においては、第１及び第２の筺体がヒンジ等の手段を介して互いに回動可能となっており、互いの位置関係が可変となっている。
【特許文献１】特開２００６−４１８４０号公報
【特許文献２】特開２００６−３３２７９５号公報
【発明の開示】
【発明が解決しようとする課題】
【０００４】
ところで、携帯電話機の第１及び第２の筺体内部には、導箔で構成されたグランドパターンを備えた回路基板や金属でシールドされた回路素子及びコネクタ等の金属を含む部品が配置されており、第１又は第２の筐体を回動させることによってこれらの配置が異なるとアンテナの受信環境が変化する。従って、第１及び第２の筺体の位置関係が変化する携帯電話機においては、その位置関係によってアンテナの受信環境が変化し、良好な受信を行うことが困難になる問題があった。
【０００５】
本発明はかかる問題点に鑑みてなされたものであり、携帯機器を構成する複数の筺体の位置関係が変化しても良好な受信を行うことができる携帯機器を提供することを目的とする。
【課題を解決するための手段】
【０００６】
本発明の携帯機器は、第１の筺体と第２の筺体とを有し、前記第１の筺体と前記第２の筺体との位置関係が可変である携帯機器であって、テレビジョン信号受信用のアンテナ素子と、可変容量素子を有し前記アンテナ素子との間の整合を行う整合回路と、前記整合回路に接続されたテレビジョン信号受信回路と、前記可変容量素子に与える同調電圧を制御する制御回路と、前記第１の筺体と前記第２の筺体との位置関係を検出する検出部とを前記第１及び第２の筐体内に具備し、前記制御回路は、前記検出部の検出結果が示す前記第１の筺体と前記第２の筺体との位置関係に応じて前記同調電圧を制御することを特徴とする。
【０００７】
この構成によれば、受信環境に影響を及ぼす第１及び第２の筺体の位置関係に応じた同調電圧がアンテナモジュールに供給されることにより、第１及び第２の筺体の位置関係が変化しても正確な受信を行うことができる。
【０００８】
本発明は、上記携帯機器において、前記第１又は第２の筺体の少なくともいずれか一方は、前記受信したテレビジョン信号から復調される画像を表示するためのディスプレイを具備することが好ましい。
【０００９】
この場合、互いに位置関係を変更し得る第１及び第２の筺体を有する携帯機器において、その第１又は第２の筐体の少なくともいずれか一方にディスプレイを設けて、受信したテレビジョン放送を表示する構成においては、ユーザは他方の筺体（第１の筺体）を持ってディスプレイ側の筺体を見やすい位置に動かす使用形態がとられる。すなわち、一方の筺体にディスプレイが設けられている携帯機器においては、第１及び第２の筺体の位置関係が種々の関係で使用されることが想定され、このような状況において、その位置関係に応じた同調電圧をアンテナモジュールに供給することにより、第１及び第２の筺体の位置関係に応じて常に正確な受信を行うことが可能となる。
【００１０】
また本発明は、上記携帯機器において、前記制御回路は、前記第１の筺体と前記第２の筺体との位置関係と前記同調電圧との対応表が記憶された記憶部を具備することが好ましい。この構成によれば、対応表を参照することによって、第１及び第２の筺体の位置関係に応じた同調電圧を選択することができる。
【００１１】
また本発明は、上記携帯機器において、前記検出部は、前記第１又は第２の筺体の少なくともいずれか一方に設けられた磁石と、他方の筺体に設けられた磁気センサとを具備することが好ましい。
【００１２】
この構成によれば、第１及び第２の筺体が所定の状態にある場合において、一方の筺体に設けられた磁石と他方の筺体に設けられたセンサとの位置関係が所定の関係となることにより、センサの出力によって該筺体の位置関係を検出することができる。
【発明の効果】
【００１３】
本発明によれば、携帯機器を構成する複数の筺体の位置関係が変化しても良好な受信を行うことができる。
【発明を実施するための最良の形態】
【００１４】
以下、図面を参照して、本発明の実施の形態に係る携帯機器について詳細に説明する。
（第１の実施の形態）
図１及び図２は、本発明の実施の形態に係る携帯機器としての携帯電話機１０を示す外観図である。この携帯電話機１０は、電話番号等を入力するための複数の操作キー２２及びマイクロフォン（図示せず）等が操作面２１に設けられた第１の筺体２０と、液晶表示部３２、操作キー３３及びスピーカ（図示せず）等が操作面３１に設けられた第２の筺体３０とを有している。
【００１５】
第２の筺体３０は、スライド機構部（図示せず）を介して第１の筺体２０に対してスライド自在に支持されている。図１は、第１の筺体２０と第２の筺体３０とが重なった収納状態を示す。この状態においては、第２の筺体３０が第１の筺体２０の操作面２１に重なることにより、第１の筺体２０と第２の筺体３０とからなる携帯電話機１０全体としての外形形状が小さくなって収納し易い状態となる。これに対して、図２は、図１に示す収納状態から第２の筺体３０と第１の筺体２０とを互いに相対的にスライドさせることにより第１の筺体２０の操作面２１に設けられた操作キー２２が露出した使用状態を示す。図２に示すように、第１の筺体２０の操作面２１及び第２の筺体３０の操作面３１は、使用状態において同一方向を向くようになっている。
【００１６】
ユーザは、第１の筺体２０及び第２の筺体３０を相対的にスライドさせることにより、携帯電話機１０を使用しない場合には、図１に示す収納状態として携帯性を向上させ、使用する場合には、図２に示す使用状態とすることにより、液晶表示部３２と操作キー２２とを同一方向に露出させてこれらが同時に使用可能な状態とする。
【００１７】
携帯電話機１０の第２の筺体３０の内部には、アンテナモジュール４０が設けられており、このアンテナモジュール４０を介して、テレビジョン放送（例えば地上デジタル放送）を受信するようになっている。このアンテナモジュール４０は、テレビジョン放送を受信するためのものであり、携帯電話用のアンテナモジュール（図示せず）とは別に設けられている。携帯電話用のアンテナモジュールは、例えば、第１の筺体２０の内部であって、図中下端部近傍に設けられている。このようにテレビジョン放送受信用のアンテナモジュール４０と携帯電話用のアンテナモジュールとはできるだけ離れた位置に配置されており、互いの干渉を防止するようになっている。
【００１８】
図３は、第２の筺体３０の内部に設けられている回路基板５０及びその表面に設けられているアンテナモジュール４０を示す斜視図である。図３に示すように、回路基板５０は、第２の筺体３０（図１、図２）の内部に収まる形状の基板であり、基材５０ａの少なくとも一方の面に、グランドパターン５０ｂが形成されている。このグランドパターン５０ｂの一部には切欠き部が形成されており、この切り欠き部において、基材５０ａにアンテナモジュール４０が直接取り付けられている。
【００１９】
図４に示すように、アンテナモジュール４０は、略直方体形状の基体４１の周囲に帯状の放射導体４２がヘリカル状に巻回されてなるアンテナ素子部４０ａと、基体４１の表面に例えばバラクタダイオード及びコイル等からなるＬＣ直列共振回路４３が形成された整合回路部４０ｂとを有する。整合回路部４０ｂにおいては、バラクタダイオードの容量を変化させることで等価的にリアクタンスＬを変化させ、共振周波数を変えることができ、これにより受信周波数帯域を変化させることができる。整合回路部４０ｂは、グランドライン４５を介してグランドパターン５０ｂに接続されていると共に、給電ライン４６を介して、チューナ部（図示せず）に接続されている。因みに、本実施の形態において、基体４１は、液晶ポリマー等の樹脂材料によって構成されているが、これに限られるものではなく、例えば、誘電体、磁性体又はこれらの複合材であってもよい。また、アンテナ形状としては、フィルム状であってもよい。さらには、放射導体４２をヘリカル状に巻き付ける構成に代えて、複数の導体をリング状に巻き付けたものや、モノポール型のものであってもよい。
【００２０】
図５は、整合回路部４０ｂの回路構成を示す接続図であり、アンテナ素子部４０ａに対して、抵抗Ｒ１１、一対のバラクタダイオードＤ１１、Ｄ１２、コイルＬ１１、Ｌ１２、コンデンサＣ１１及び抵抗Ｒ１３によって構成されている。整合回路部４０ｂでは、後述する同調電圧Ｖtuneを変化させることによってバラクタダイオードＤ１１、Ｄ１２に与える電圧を変化させ、これにより受信周波数帯域を変化させる。これにより所望のチャンネルを選択することができると共に、携帯電話機１０の第１の筺体２０及び第２の筺体３０の状態（収納状態又は使用状態）に応じて、同調電圧を調整することにより（後述）、筺体の状態に応じた最適な同調特性を得ることができるようになっている。
【００２１】
図６は、図４について上述したアンテナモジュール４０と、このアンテナモジュール４０に接続される受信回路部６０の構成を示す接続図である。図６に示すように、アンテナモジュール４０の整合回路部４０ｂに対して、給電ライン４６を介して、受信回路部６０が接続されている。
【００２２】
この受信回路部６０は、チューナ６１及び復調ＩＣ（Integrated Circuit）６２からなるモバイルチューナ６５と、制御回路６３とを有する。チューナ６１は、アンテナモジュール４０から得られたＲＦ信号をデジタル復調を行うための低い周波数まで周波数変換する。復調ＩＣ６２は、チューナ６１から出力される受信信号を復調し、制御回路６３に出力する。制御回路６３は、復調ＩＣ６２において復調された信号から例えばＭＰＥＧ（Moving Picture Experts Group）復号を行うことにより、画像信号を復号しこれを液晶表示部３２へ出力する。これにより液晶表示部３２には、アンテナモジュール４０を介して受信されたテレビジョン放送の画像が表示される。また、制御回路６３は、操作キー２２又は３３を介して入力された操作結果に応じて、例えば受信するテレビジョン放送のチャンネルを切り換える等の処理を実行する。
【００２３】
復調ＩＣ６２は、ユーザによって選局されたチャンネルの周波数帯域を受信周波数とするための同調電圧Ｖtuneをアンテナモジュール４０の整合回路部４０ｂに送出することにより、アンテナモジュール４０において受信する周波数帯域を所望のチャンネルの周波数帯域に同調させるようになされている。復調ＩＣ６２は、この同調電圧Ｖtuneを、携帯電話機１０の第１の筺体２０及び第２の筺体３０の状態（収納状態又は使用状態）に応じて調整することにより、筺体の状態に応じて最適な同調特性を得るようになっている。
【００２４】
すなわち、携帯電話機１０の第１の筺体２０には、磁気を検出する磁気感応型のセンサ７１が設けられている。すなわち、図１（Ａ）及び図２（Ａ）に示すように、第１の筺体２０の図中右下の隅部には、センサ７１が固定されている。一方、第２の筺体３０の図中右下の隅部には、磁石７５が固定されている。これにより、図１に示すように、第１の筺体２０及び第２の筺体３０を収納状態とした場合には、磁石７５がセンサ７１に接近した状態となり、これに対して、図２に示すように、第１の筺体２０及び第２の筺体３０を使用状態とした場合には、磁石７５とセンサ７１とは離間した状態となる。センサ７１では、この磁石７５との距離によって異なる出力が得られることにより、図１に示す収納状態と図２に示す使用状態とでは異なるレベルの検出信号が出力される。
【００２５】
従って、第１の筺体２０に設けられた受信回路部６０（図６）の制御回路６３は、センサ７１からの検出信号の信号レベルに基づいて、第１の筺体２０及び第２の筺体３０が収納状態又は使用状態のいずれであるかを判断することができる。制御回路６３は、このセンサ７１から出力される検出信号の信号レベルに基づいて、収納状態又は使用状態に応じた同調電圧値を指示する指示信号を復調ＩＣ６２に送出する。復調ＩＣ６２は、制御回路６３から得られる指示信号に応じた値の同調電圧Ｖtuneをアンテナモジュール４０の整合回路部４０ｂに供給する。
【００２６】
すなわち、図７に示すように、制御回路６３では、テレビジョン放送の各チャンネルごとに収納状態における同調電圧Ｖtune１と使用状態における同調電圧Ｖtune２とを対応表に設定しており、センサ７１から得られる検出信号の信号レベル（収納状態に対応した信号レベル又は使用状態に対応した信号レベル）に基づいて、同調電圧を収納状態における同調電圧Ｖtune１又は使用状態における同調電圧Ｖtune２のいずれに設定するかを選択し、この選択された同調電圧を指示する指示信号を復調ＩＣ６２に送出する。因みに、本実施の形態において、対応表は、制御回路６３に設けられた記憶部６３ａに記憶されるが、これに限定されるものではなく、制御回路６３の外部に設けられた記憶部に対応表を記憶するようにしてもよい。
【００２７】
すなわち、ユーザが操作キー２２を操作することにより、例えばチャンネルＣＨ１が選択された場合、制御回路６３は、センサ７１からの検出信号に基づいて、筺体が収納状態又は使用状態のいずれであるかを判断する。そして、収納状態である場合には、チャンネルＣＨ１に対応した収納状態における同調電圧Ｖtune１（＝1.4〔Ｖ〕）を選択し、この電圧を指示する指示信号を復調ＩＣ６２に送出する。これに対して、使用状態である場合には、チャンネルＣＨ１に対応した使用状態における同調電圧Ｖtune２（＝1.0〔Ｖ〕）を選択し、この電圧を指示する指示信号を復調ＩＣ６２に送出する。
【００２８】
復調ＩＣ６２は、制御回路６３から受け取った指示信号によって指示される値の同調電圧Ｖtuneをアンテナモジュール４０の整合回路部４０ｂへ送出する。具体的には、図８に示すように、受信回路部６０において、復調ＩＣ６２は、制御回路６３から送出された指示信号に基づいて、該指示信号によって指示される電圧値に応じたパルス幅を有するパルス信号ＳＰＷＭを同調電圧発生回路６６に送出する。同調電圧発生回路６６は、パルス信号ＳＰＷＭのパルス幅に応じた直流電圧レベルの同調電圧Ｖtuneを電源ＶＣＣによって生成し、これを抵抗Ｒ１４を介して整合回路部４０ｂに供給する。なお、整合回路部４０ｂとモバイルチューナ６５との間の伝送ラインには、直流電圧阻止のためのコンデンサＣ１２が設けられている。
【００２９】
かくして、アンテナモジュール４０には、携帯電話機１０の筺体の状態（収納状態又は使用状態）に応じた最適な同調電圧Ｖtuneが供給されることになる。このように、同調電圧Ｖtuneを変化させることにより、図９に示すように、アンテナモジュール４０のＶＳＷＲ（Voltage Standing Wave Ratio）の特性が変化し、受信しようとするチャンネルの周波数に受信周波数を合わせることができる。
【００３０】
なお、図８に破線で示すように、制御回路６３から送出された指示信号をデジタルアナログ変換してなる直流電圧ＳＤＡＣを同調電圧Ｖtuneとしてアンテナモジュール４０に供給するようにしてもよい。
【００３１】
以上説明した構成の携帯電話機１０の動作を説明する。携帯電話機１０においては、図１に示した収納状態及び図２に示した使用状態のいずれにおいても、液晶表示部３２が外部に露出した状態となっていることにより、各々の状態においてテレビジョン放送を受信してその放送内容を液晶表示部３２に表示してユーザに提供し得るようになっている。
【００３２】
この収納状態における第１の筺体２０及び第２の筺体３０の位置関係と、使用状態における第１の筺体２０及び第２の筺体３０の位置関係とは異なっている。携帯電話機１０においては、グランドパターンや種々の回路部品が搭載された第１及び第２の筺体２０、３０の位置関係によってアンテナモジュール４０の受信環境が変化することとなり、筺体の位置関係に応じて、印加する同調電圧値を変化させる必要がある。携帯電話機１０の受信回路部６０では、この筺体の状態ごとに同調特性に合わせた最適な同調電圧が対応表として制御回路６３の記憶部６３ａに保持されている。
【００３３】
ユーザは、図１に示す収納状態においては、該収納状態においても操作可能な第２の筺体の操作キー３３を操作することにより、所望のチャンネルを選択することができ、また、図２に示す使用状態においては、該使用状態において操作可能な第１の筺体２０の操作キー２２を操作することにより、所望のチャンネルを選択することができる。
【００３４】
操作キー２２又は３３の操作によってチャンネルが選択されると、携帯電話機１０の制御回路６３は、筺体の状態（収納状態（図１）又は使用状態（図２））をセンサ７１の検出信号に基づいて判断する。そして、制御回路６３は、筺体の状態と、操作キー２２又は３３の操作により指定されたチャンネルとに基づいて、図７に示した対応表から対応する同調電圧を選択する。
【００３５】
これにより、該選択された同調電圧がアンテナモジュール４０に供給されることにより、筺体の状態に応じて最適な同調特性によって、指定されたチャンネルの放送波が受信される。
【００３６】
なお、制御回路６３は、操作キー２２又は３３の操作によって選択されたチャンネルのテレビジョン放送を受信している場合において、筺体の状態が変化した場合、この状態変化をセンサ７１から出力される検出信号に基づいて検出することにより、この状態変化に応じた同調電圧を図７に示した対応表から選択して、該選択された同調電圧に切り替えてアンテナモジュール４０に供給するようになっている。
【００３７】
例えば、収納状態（図１）においてチャンネル１のテレビジョン放送が受信されている場合、アンテナモジュール４０に供給される同調電圧は、図７に示したように、1.4〔Ｖ〕であり、この受信状態の途中で筺体の状態が使用状態（図２）に変化した場合、センサ７１の検出信号の信号レベルが変化することにより、制御回路６３は、この変化に応じて、アンテナモジュール４０に供給する同調電圧を1.0〔Ｖ〕に変化させる。これにより、テレビジョン放送を受信している間において筺体の状態が変化しても、これに応じて最適な同調特性が得られる。
【００３８】
（第２の実施の形態）
図１０乃至図１２は、第２の実施の形態に係る携帯電話機１１０を示す外観図である。この携帯電話機１１０は、図１について上述した第１の実施の形態に係る携帯電話機１０と比べて、第１の筺体１２０及び第２の筺体１３０の位置関係が異なる。従って、図１０乃至図１２において、図１と同一の部分には同一符号を付して、その重複した説明を省略する。
【００３９】
図１０乃至図１２において、携帯電話機１１０は、第１の筺体１２０と第２の筺体１３０とを有し、これらは、ヒンジ１１１を介して互いに矢印ａで示す方向に回動可能に支持されている。また、第１の筺体１２０と第２の筺体１３０とは、ヒンジ１１１によって互いに矢印ｂで示す方向に回動可能となっている。
【００４０】
第１の筺体１２０は、その操作面１２１に操作キー１２２及び１２３を有し、電話番号の入力やテレビジョン放送の受信チャンネルの選択等を行うようになっている。また、第２の筺体１３０は、その表示面１３１に液晶表示部１３２を有し、携帯電話機１１０の動作状態を表示すると共に、テレビジョン放送の受信時においては、選択されたチャンネルの画像を表示するようになっている。
【００４１】
図１０は、第１の筺体１２０と第２の筺体１３０とが重ねられた収納状態を示し、図１１は、第１の筺体１２０の操作面１２１と第２の筺体１３０の表示面１３１とが同一方向に向いて各々が露出した使用状態を示し、図１２は、第１の筺体１２０の操作面１２１に第２の筺体１３０の裏面側（操作面１３１の裏面）が対向した折りたたみ状態を示す。
【００４２】
図１０に示す収納状態においては、第１の筺体１２０の操作面１２１と第２の筺体１３０の表示面１３１とが対向した状態となり、この結果、第２の筺体１３０の裏面（表示面１３１の裏面）が外部に露出した状態となっている。
【００４３】
これに対して、図１１に示す使用状態においては、第１の筺体１２０の操作面１２１と第２の筺体１３０の表示面１３１とが略同一方向を向いて露出した状態となっており、ユーザは、第１の筺体１２０の操作面１２１に設けられた操作キー１２２及び１２３を操作し得ると同時に、第２の筺体１３０の表示面１３１に設けられた液晶表示部１３２を目視することができる。
【００４４】
また、図１２に示す折りたたみ状態においては、第１の筺体１２０の操作面１２１の上に第２の筺体１３０の裏面側が重なった状態となることにより、第１の筺体１２０の操作面１２１は外部に露出した状態とはならず、この第１の筺体１２０に重ねられた第２の筺体１３０の表示面１３１が外部に露出した状態となる。この状態において、ユーザは、第２の筺体１３０の表示面１３１に設けられた液晶表示部１３２を目視することができる。
【００４５】
すなわち、図１０に示した収納状態においては、第２の筺体１３０の液晶表示部１３２が第１の筺体１２０に対向するように収納されていることにより、外部から液晶表示部１３２の表示面を視認することができない状態となっているのに対して、図１１に示した使用状態及び図１２に示した折りたたみ状態においては、第２の筺体１３０の液晶表示部１３２の表示面が外部に露出した状態となることにより、この表示面を外部から視認することができる。従って、ユーザは、携帯電話機１１０を図１１に示した使用状態又は図１２に示した折りたたみ状態のいずれかの状態にして、液晶表示部１３２に表示されたテレビジョン放送の画像等の情報を視認することができる。
【００４６】
第２の筺体１３０のヒンジ１１１が設けられた端部と対峙する他方の端部近傍には、筺体内部にアンテナモジュール４０が設けられており、テレビジョン放送を受信するようになっている。このアンテナモジュール４０は、携帯電話用のアンテナモジュール（図示せず）とは別に設けられている。携帯電話用のアンテナモジュールは、例えば、第１の筺体１２０の筺体内部であって、ヒンジ１１１の近傍に設けられる。このようにテレビジョン放送受信用のアンテナモジュール４０と携帯電話用のアンテナモジュールとはできるだけ離れた位置に配置されており、互いの干渉を防止するようになっている。
【００４７】
図１０（Ａ）、図１１（Ａ）及び図１２（Ｂ）に示すように、携帯電話機１１０の第１の筺体１２０には、磁気を検出する２つの磁気感応型のセンサ７１、７２が設けられている。第１のセンサ７１は、第１の筺体１２０の図中右下の隅部に設けられており、また、第２のセンサ７２は、第１の筺体１２０の図中左下の隅部に設けられている。
【００４８】
一方、第２の筺体１３０においては、図１１（Ａ）に示すように、液晶表示部１３２が設けられた表示面１３１に向かって右上に磁石７５が固定されている。これにより、図１０に示すように、第１の筺体１２０及び第２の筺体１３０を収納状態とした場合には、磁石７５がセンサ７１に接近した状態となり、これに対して、図１１に示すように、第１の筺体１２０及び第２の筺体１３０を使用状態とした場合には、磁石７５とセンサ７１、７２とはいずれも離間した状態となる。また、図１２に示すように、表示面１３１を露出させた折りたたみ状態においては、磁石７５とセンサ７２とが接近した状態となる。センサ７１、７２では、この磁石７５との距離によって異なる出力が得られることにより、図１０に示す収納状態と図１１に示す使用状態とでは、異なるレベルの検出信号が出力され、また、図１０に示す収納状態と図１１に示す折りたたみ状態とでは、異なるレベルの検出信号が出力される。
【００４９】
これにより、第１のセンサ７１及び第２のセンサ７２の検出信号の信号レベルの組み合わせに応じて、第１の筺体１２０及び第２の筺体１３０の状態（収納状態、使用状態又は折りたたみ状態）を判別することができる。すなわち、図６との対応部分に同一符号を付して示す図１３において、制御回路６３は、第１のセンサ７１の検出信号Ｓ７１の信号レベルと、第２のセンサ７２の検出信号Ｓ７２の信号レベルの組み合わせと携帯電話機１１０の筺体の状態（収納状態、使用状態又は折りたたみ状態）との対応を対応表として格納しており、第１のセンサ７１から供給される検出信号Ｓ７１と、第２のセンサ７２から供給される検出信号Ｓ７２とに基づいて、対応表を参照することにより、携帯電話機１１０の筺体の状態を判断する。
【００５０】
そして、制御回路６３は、このセンサ７１、７２から出力される検出信号Ｓ７１、Ｓ７２の各信号レベルに基づいて、収納状態、使用状態又は折りたたみ状態に応じた同調電圧値を指示する指示信号を復調ＩＣ６２に送出する。復調ＩＣ６２は、制御回路６３から得られる指示信号に応じた値の同調電圧Ｖtuneをアンテナモジュール４０の整合回路部４０ｂ（図４、図５）に供給する。
【００５１】
すなわち、図１４に示すように、制御回路６３では、テレビジョン放送の各チャンネルごとに収納状態における同調電圧Ｖtune１と使用状態における同調電圧Ｖtune２と折りたたみ状態における同調電圧Ｖtune３とを対応表に設定しており、センサ７１、７２から得られる検出信号の信号レベルに基づいて、収納状態における同調電圧Ｖtune１、使用状態における同調電圧Ｖtune２又は折りたたみ状態における同調電圧Ｖtune３のいずれに設定するかを選択し、この選択された同調電圧を指示する指示信号を復調ＩＣ６２に送出する。
【００５２】
例えば、ユーザが操作キー１２２又は１２３を操作することにより、例えばチャンネルＣＨ１が選択された場合、制御回路６３は、センサ７１、７２からの検出信号に基づいて、筺体が収納状態、使用状態又は折りたたみ状態のいずれであるかを判断する。そして、収納状態である場合には、チャンネルＣＨ１に対応した収納状態における同調電圧Ｖtune１（＝1.4〔Ｖ〕）を選択し、この電圧を指示する指示信号を復調ＩＣ６２に送出する。これに対して、折りたたみ状態である場合には、チャンネルＣＨ１に対応した折りたたみ状態における同調電圧Ｖtune３（＝1.2〔Ｖ〕）を選択し、またこれに対して、使用状態である場合には、チャンネルＣＨ１に対応した使用状態における同調電圧Ｖtune２（＝1.0〔Ｖ〕）を選択し、この電圧を指示する指示信号を復調ＩＣ６２に送出する。
【００５３】
復調ＩＣ６２は、制御回路６３から受け取った指示信号によって指示される値の同調電圧Ｖtuneをアンテナモジュール４０の整合回路部４０ｂへ送出する。
【００５４】
かくして、アンテナモジュール４０には、携帯電話機１０の筺体の状態（収納状態又は使用状態）に応じた最適な同調電圧が供給されることになる。因みに、収納状態（図１０）においては、表示面１３１が第１の筺体１２０に対向した状態となって、外部から液晶表示部１３２を目視することが困難となるが、図１０（Ａ）に示すように、例えば、第２の筺体１３０の裏面側に設けられた比較的小さな液晶表示部１４２にテレビジョン放送を表示させる等、テレビジョン放送を受信して表示する場合があり、この場合においても第１の筺体１２０及び第２の筺体１３０の配置状態に応じて最適な同調電圧を設定する必要がある。
【００５５】
なお、本実施の形態においては、図１０乃至図１２に示す筺体の状態（収納状態、使用状態、折りたたみ状態）に応じて最適な同調電圧を選択する場合について述べたが、筺体の状態はこれに限られるものではなく、例えば、図１５に示すように、第１の筺体１２０に対して、第２の筺体１３０を横方向に回動させた状態にして、液晶表示部１３２が横長の状態（以下これを横長表示状態と呼び）でこれにテレビジョン放送の画像を表示させる場合等、種々の状態において適用することができる。この場合、横長表示状態を検出するための検出手段として、例えば、第２の筺体１３０に第２の磁石７６を設けると共に、図１５に示す横長表示状態で第２の磁石７６に対応する第１の筺体１２０の所定位置に第３のセンサ７３を設け、この第３のセンサの出力に応じて横長表示状態を判断するようにすればよい。
【００５６】
かくして、以上説明した本実施の形態に係る携帯電話機１１０においては、筺体の状態に応じて最適な同調電圧を選択してテレビジョン放送を受信することができる。
【００５７】
（他の実施の形態）
上述の各実施の形態においては、テレビジョン放送を受信する携帯電話機について述べたが、本発明はこれに限られるものではなく、例えば、テレビジョン放送の受信機能を付加したＰＤＡ（personal digital assistance）等、種々の携帯機器に適用することができる。
【産業上の利用可能性】
【００５８】
本発明は、例えばテレビジョン放送の受信機能を備えた携帯電話機等の携帯機器に適用可能である。
【図面の簡単な説明】
【００５９】
【図１】（Ａ）本発明の第１の実施の形態に係る携帯電話機の収納状態における外観を示す正面図、（Ｂ）収納状態における外観を示す側面図
【図２】（Ａ）本発明の第１の実施の形態に係る携帯電話機の使用状態における外観を示す正面図、（Ｂ）使用状態における外観を示す側面図
【図３】第２の筺体の内部に設けられている回路基板及びその表面に設けられているアンテナモジュールを示す斜視図
【図４】アンテナモジュールの外観を示す斜視図
【図５】アンテナモジュールの整合回路部の構成を示す接続図
【図６】アンテナモジュール及び受信回路部の構成を示すブロック図
【図７】受信チャンネルに対応した使用状態における同調電圧及び収納状態における同調電圧の関係を示す図
【図８】受信回路部における同調電圧の供給手段の説明に供する図
【図９】同調電圧の変化によるＶＳＷＲ（Voltage Standing Wave Ratio）特性の変化を示す図
【図１０】（Ａ）本発明の第２の実施の形態に係る携帯電話機の収納状態における外観を示す正面図、（Ｂ）収納状態における外観を示す側面図
【図１１】（Ａ）本発明の第２の実施の形態に係る携帯電話機の使用状態における外観を示す正面図、（Ｂ）使用状態における外観を示す側面図
【図１２】（Ａ）本発明の第２の実施の形態に係る携帯電話機の折りたたみ状態における外観を示す側面図、（Ｂ）折りたたみ状態における外観を示す正面図
【図１３】第２の実施の形態におけるアンテナモジュール及び受信回路部の構成を示すブロック図
【図１４】受信チャンネルに対応した使用状態における同調電圧、収納状態における同調電圧及び折りたたみ状態における同調電圧の関係を示す図
【図１５】他の実施の形態に係る携帯電話機の横長表示状態における外観を示す正面図
【符号の説明】
【００６０】
１０、１１０  携帯電話機
２０、１２０  第１の筺体
２１、３１  操作面
２２、３３、１２２、１２３  操作キー
３０、１３０  第２の筺体
３２、１３２  液晶表示部
４０  アンテナモジュール
４０ａ  アンテナ素子部
４０ｂ  整合回路部
４１  基体
４２  放射導体
４３  ＬＣ直列共振回路
４５  グランドライン
４６  給電ライン
５０  回路基板
５０ａ  基材
５０ｂ  グランドパターン
６０  受信回路部
６１  チューナ
６２  復調ＩＣ
６３  制御回路
６５  モバイルチューナ
６６  同調電圧発生回路
７１、７２、７３  センサ
７５、７６  磁石
１３１  表示面
【図１】
2009141563.tif 000003
【図２】
2009141563.tif 000004
【図３】
2009141563.tif 000005
【図４】
2009141563.tif 000006
【図５】
2009141563.tif 000007
【図６】
2009141563.tif 000008
【図７】
2009141563.tif 000009
【図８】
2009141563.tif 000010
【図９】
2009141563.tif 000011
【図１０】
2009141563.tif 000012
【図１１】
2009141563.tif 000013
【図１２】
2009141563.tif 000014
【図１３】
2009141563.tif 000015
【図１４】
2009141563.tif 000016
【図１５】
2009141563.tif 000017